(57)【要約】【課題】　畦塗り機の前処理体により盛り上げられた土壌を回転しながら畦に成形する多面体ドラムからなる整畦体を改良する。【解決手段】　走行機体の後部に装着され、該走行機体から動力を受け、元畦の一部及び圃場を耕耘して元畦側に畦状に盛り上げる前処理体１４、及びこの前処理体１４により盛り上げられた土壌を回転しながら畦に成形する多面体ドラムからなる整畦体１６を備えた畦塗り機１であって、多面体ドラム１９の各稜線部分８が、回転方向に対し後退角を有している。多面体ドラム１９の各稜線部分１８が、後退角を有する直線状である。多面体ドラム１９の各稜線部分１８が、後退角を有して弯曲している。多面体ドラム１９の各稜線部分１８に形成される段部が、回転中心部から先端までほぼ同じ高さである。【選択図】　　図１
2004024269.tif 000002
【特許請求の範囲】
【請求項１】
　走行機体の後部に装着され、該走行機体から動力を受け、元畦の一部及び圃場を耕耘して元畦側に畦状に盛り上げる前処理体、及びこの前処理体により盛り上げられた土壌を回転しながら畦に成形する多面体ドラムからなる整畦体を備えた畦塗り機において、
　前記多面体ドラムの各稜線部分が、回転方向に対し後退角を有していることを特徴とする畦塗り機。
【請求項２】
　前記多面体ドラムの各稜線部分が、後退角を有する直線状であることを特徴とする請求項１記載の畦塗り機。
【請求項３】
　前記多面体ドラムの各稜線部分が、後退角を有して弯曲していることを特徴とする請求項１記載の畦塗り機。
【請求項４】
　前記多面体ドラムの各稜線部分に形成される段部が、後退角を有して回転中心部から先端までほぼ同じ高さであることを特徴とする請求項１、２又は３記載の畦塗り機。
【請求項５】
　走行機体の後部に装着され、該走行機体から動力を受け、元畦の一部及び圃場を耕耘して元畦側に畦状に盛り上げる前処理体、及びこの前処理体により盛り上げられた土壌を回転しながら畦に成形する多面体ドラムからなる整畦体を備えた畦塗り機において、
　前記多面体ドラムの各稜線部分に形成される段部が、回転中心部から先端までほぼ同じ高さであることを特徴とする畦塗り機。
【発明の詳細な説明】
【技術分野】
【０００１】
　本発明は、前処理体により盛り上げられた土壌を回転しながら畦に成形する多面体ドラムからなる整畦体を改良した畦塗り機に関する。
【背景技術】
【０００２】
　従来、走行機体の後部に装着され、該走行機体から動力を受け、元畦の一部及び圃場を耕耘して元畦側に畦状に盛り上げる前処理体、及びこの前処理体により盛り上げられた土壌を回転しながら畦に成形する多面体ドラムからなる整畦体を備えた畦塗り機が周知である。
【０００３】
　そして、図６に示すように、整畦体の多面体ドラムＡは、水平方向の回転軸Ｂの先端部に径方向の中央部（ドラムの中心部）を取付け部Ｃを介して取付けられた傘状のもので、径方向に段差部（稜線）Ｄにより８等分されて８枚の整畦面Ｅを形成している。各整畦面Ｅは、多面体ドラムＡの回転（矢印）方向の前部が低く、後部が高くなるように傾斜しており、多面体ドラムＡが回転したときに、ラジアル方向の前半部（点線で示す）が土に対して非接触面、後半部が接触面となって整畦するようにしている。また、段差部（稜線）Ｄは、回転軸Ｂとほぼ直交している。
【発明の開示】
【発明が解決しようとする課題】
【０００４】
　このため、多面体ドラムＡが回転して整畦作業を行うとき、各整畦面Ｅの接触面が不連続になり、所定の間隔を置いて土壌に接することになって、振動が大きくなり、また、ラジアル方向に一定の長さで土に接触しているため、非接触面への土の付着や土のけり出しが多くなる、という問題点があった。また、段差部（稜線）Ｄが回転軸Ｂとほぼ直交しているので、多面体ドラムＡが回転して土壌と接する際の抵抗が大きくなる、といった問題点もあった。
　本発明は、このような問題点を解決することを目的になされたものである。
【課題を解決するための手段】
【０００５】
　上記の目的を達成するために本発明の畦塗り機は、以下の構成を特徴としている。
Ａ．走行機体の後部に装着され、該走行機体から動力を受け、元畦の一部及び圃場を耕耘して元畦側に畦状に盛り上げる前処理体、及びこの前処理体により盛り上げられた土壌を回転しながら畦に成形する多面体ドラムからなる整畦体を備えた畦塗り機において、
　前記多面体ドラムの各稜線部分が、回転方向に対し後退角を有している。
【０００６】
Ｂ．前記多面体ドラムの各稜線部分が、後退角を有する直線状である。
Ｃ．前記多面体ドラムの各稜線部分が、後退角を有して弯曲している。
Ｄ．前記多面体ドラムの各稜線部分に形成される段部が、後退角を有して回転中心部から先端までほぼ同じ高さである。
【０００７】
Ｅ．走行機体の後部に装着され、該走行機体から動力を受け、元畦の一部及び圃場を耕耘して元畦側に畦状に盛り上げる前処理体、及びこの前処理体により盛り上げられた土壌を回転しながら畦に成形する多面体ドラムからなる整畦体を備えた畦塗り機において、
　前記多面体ドラムの各稜線部分に形成される段部が、回転中心部から先端までほぼ同じ高さである。
【発明の効果】
【０００８】
イ．前記Ａ．の構成により、多面体ドラムが回転して前処理体により盛り上げられた土壌を叩いて整畦するとき、各稜線部分が回転方向に対し後退角を持って接するので、土壌に対する接触抵抗を小さくすることができる。また、多面体ドラムの回転による振動変化をより小さくすることができる。
【０００９】
ロ．前記Ｂ．の構成により、多面体ドラムの各稜線部分が後退角を有する直線状であるので、製造が比較的容易である。
ハ．前記Ｃ．の構成により、多面体ドラムの各稜線部分が後退角を有して曲線状であるので、構造はやや複雑となるが、土壌に対する接触抵抗をより小さくすることができる。また、多面体ドラムの回転による振動変化をより小さくすることができる。
ニ．前記Ｄ．の構成により、各稜線部分の段部が、後退角を有して回転中心部から先端までほぼ同じ高さであるので、多面体ドラムが土壌に接する圧力が多面体ドラムの先端部から回転中心部までほぼ均一となって、均質の畦を形成することができる。
【００１０】
ホ．前記Ｄ．の構成により、各稜線部分の段部が、回転中心部から先端までほぼ同じ高さであるので、多面体ドラムが土壌に接する圧力が多面体ドラムの先端部から回転中心部までほぼ均一であり、畦面の下端部から上端部までほぼ同じ固さの畦を形成することができる。
【発明を実施するための最良の形態】
【００１１】
　以下、本発明を実施するための最良の形態について、添付の図面を参照しながら具体的に説明する。
【実施例１】
【００１２】
　図４において、符号１は図示しないトラクタの後部に設けられたトップリンク及びロアリンクからなる三点リンク連結機構に連結されて、整畦作業を行う畦塗り機である。この畦塗り機１は、前部フレーム２に、前方に向け突出し、トラクタのＰＴＯ軸からユニバーサルジョイント及び伝動軸を介して動力を受ける入力軸（図示せず）を有する入力部３を設け、また、上方に向け突出するトップリンク連結部４を設けると共に、左右に支持アーム５，５を介してロアリンク連結部６，６を設け、トラクタの三点リンク連結機構に連結するようにしている。
【００１３】
　前部フレーム２の後部に前端が枢着された左右一対の平行リンク７，８の後端部に本体フレームを兼ねる伝動フレーム９が枢着され、左右移動（オフセット）可能になっている。上記入力部３から後方に突出した出力軸（図示せず）から、両端にユニバーサルジョイントを装着した伝動軸１０を介して、伝動フレーム９の前側に設けた伝動ボックス１１に動力が伝達される。平行リンク７が伝動ボックス１１に枢着された位置と平行リンク８との間にオフセット量調節用伸縮装置１２が介装され、その伸縮により伝動フレーム９、後述する前処理体１４及び整畦体１６のオフセット量が調節可能となっている。
【００１４】
　伝動ケース９の一側（図面で右側）には、前方に延びる伝動ケース１３を介して、元畦の一部及び圃場を耕耘して畦状に盛り上げるロータリ耕耘装置からなる前処理体１４が支持されている。この前処理体１４は、図示しないが、左右方向に延びる耕耘軸（作業軸）の外周に多数の耕耘爪を取付けたものである。また、この前処理体１４の後方に、伝動ケース１５を介して、前処理体１４により耕耘されて畦状に盛り上げられた土壌を畦に成形する多面体ドラム１９からなる整畦体１６を設けている。この整畦体１６の回転中心部の外側部には、水平筒状体１７が一体的に設けられ、整畦体１６と共に回転して、整畦体１６により成形された畦の頂部を平らに成形するようにしている。
【００１５】
　ここで本発明においては、前記多面体ドラム１９からなる整畦体１６を、図１ないし図３に示すように、稜線１８により８つに区切られた各整畦面（多面体ドラム）により構成している。そして、多面体ドラム１９は、ドラムの中心側に設けた取付け部２１に対して取付けられる各整畦面のドラム中心側取付部１９ａを、ドラム中心軸Ｏに対し所定量αだけ偏心させて取付けている。また、多面体ドラム１９は、取付け部２１を、軸方向に偏心させて回転軸２０に取付けている。この第１実施例のものでは各稜線１８は回転方向に対して後退角を有する直線状をなしているが、これを、図５に示す第２実施例のように、回転方向に後退角を有して弯曲する円弧状稜線１８ａとしてもよいものである。さらに、各稜線１８部分には、図１，２，４及び図５示されるように、段部が後退角を有して回転中心部から先端までほぼ同じ高さに形成されている。
【実施例２】
【００１６】
　図５に示す本発明の第２実施例のものは、上記第１実施例における整畦体１６の多面体ドラム１９の各稜線１８部分が、後退角を有する直線状であるのに対し、実施例２のものでは回転方向に後退角を有して弯曲する円弧状稜線１８ａを形成している。また、多面体ドラム１９の各稜線１８ａ部分に形成される段部は、後退角を有して回転中心部から先端までほぼ同じ高さに形成されており、その他の構成は、実施例１のものと同様のものである。
【００１７】
　図４において、伝動ケース９の他側（図面で左側）には、三角ディスク状のゲージホイール２２が上下調節支持部２３により上下調節可能に支持されている。このゲージホイール２２は、上下調節支持部２３により上下調節することにより、畦塗り機１全体の接地高さが調節され、処理体１４及び整畦体１６の作用深さが調節されて、形成される畦の高さを変えることができる。
【００１８】
　また、整畦体１６は、回転軸２０に対して軸方向にわずかに偏心して取付けられ、その偏心量α（振れ幅）が調節可能となっている。また、整畦体１６は、多面体ドラム１９が偏心回転することにより、多角の稜線１８，１８ａ（段部）と整畦面１９が偏心しながら回転して畦法面を叩いて均一に整畦し、水平筒状体１７により畦頂部を平面状に成形することにより新しい畦を完成させる。
【００１９】
　このような構成の畦塗り機１においては、トラクタの後部に三点リンク連結機構を介して連結され、トラクタから入力部３に動力を受けて伝動軸１０を介して伝動ボックス１１に伝達し、伝動フレーム９から伝動ケース１３及び１５を介して前処理体１４及び整畦体１６、水平筒状体１７を駆動してトラクタの走行と共に整畦作業を行う。前処理体１４及び整畦体１６の作用深さを深く（整畦高さを高く）するときは、上下調節支持部２３によりゲージホイール２２を上方に上げ、前処理体１４及び整畦体１６の作用深さを浅く（整畦高さを低く）するときは、上下調節支持部２３によりゲージホイール２２を下方に下げる。また、前処理体１４及び整畦体１６のそれぞれの作用深さを調節する。
【００２０】
　前処理体１４及び整畦体１６のオフセット量を調節するときは、オフセット量調節用伸縮装置１２の伸縮により平行リンク７，８が移動して伝動フレーム９、前処理体１４及び整畦体１６を所定量オフセットさせる。そして、前処理体１４及び整畦体１６の作業軸（前処理体における耕耘軸）の機体進行方向に対する作業角度を変える。
【００２１】
　前処理体１４では元畦の一部及び圃場を耕耘して元畦側に対して畦状に盛り上げ、その盛り上げられた土壌を整畦体１６の多角円錐状ドラム１９の多角の稜線１８（段部）と整畦面１９が偏心しながら回転して畦法面を叩いて目的とする畦に成形する。この実施例では、前処理体１４及び整畦体１６の作業軸の機体進行方向に対する作業角度を同時に変えるようにしているが、前処理体１４における耕耘軸のみ、あるいは整畦体１６の回転軸２０のみの作業角度を変えるようにしてもよい。
【００２２】
　整畦体１６においては、多面体ドラム１９のドラム中心側取付部１９ａを回転軸２０の中心Ｏからαだけ偏心させることで、多面体ドラム１９はラジアル方向の接触面がほぼ連続的に土壌に接しながら回転して整畦作業を行うことになり、多面体ドラム１９の回転による振動変化が小さくなる。また、多面体ドラム１９の非接触面への土の付着や土のけり出しを減少させる。
【産業上の利用可能性】
【００２３】
　本発明の構成により、多面体ドラムの土壌に対する接触抵抗が小さくなり。また、多面体ドラムの回転による振動変化が小さくなり、多面体ドラムの製造を容易にし、均質な畦を形成することができる畦塗り機を提供できる。
【図面の簡単な説明】
【００２４】
【図１】本発明による多面体ドラムからなる整畦体の第１実施例の正面図である。
【図２】同側面図である。
【図３】同部分外周縁図である。
【図４】本発明による畦塗り機の全体平面図である。
【図５】本発明による多面体ドラムからなる整畦体の第２実施例の正面図である。
【図６】従来の多面体ドラムからなる整畦体の正面図である。
【符号の説明】
【００２５】
　１　畦塗り機
　２　前部フレーム
　３　入力部
　４　トップリンク連結部
　５　支持アーム
　６　ロアリンク連結部支持フレーム
　７，８　平行リンク
　９　伝動フレーム
　１０　伝動軸
　１１　入力部
　１２　オフセット量調節用伸縮装置
　１３，１５　伝動ケース
　１４　前処理体
１６　整畦体（多面体ドラム）
　１７　水平筒状体
　１８　直線状稜線　１８ａ　円弧状稜線
　１９　整畦面（多面体ドラム）  １９ａ　整畦面のドラム中心側取付部　α　偏心量
　２０　回転軸  Ｏ　回転軸の中心
　２１　取付け部
　２２　ゲージホイール
　２３　上下調整装置
【図１】
2004024269.tif 000003
【図２】
2004024269.tif 000004
【図３】
2004024269.tif 000005
【図４】
2004024269.tif 000006
【図５】
2004024269.tif 000007
【図６】
2004024269.tif 000008